(57)【要約】      （修正有）【課題】人力に頼ることなく除染廃棄物の仮置き場に敷かれた遮水シートを切断することが可能な自走式カッター装置の提供。【解決手段】除染廃棄物の仮置き場に敷かれた遮水シートを自走しながら切断する自走式カッター装置が、クローラ３で自走する車体１と遮水シートを切断するカッター装置２からなり、カッター装置２が車体１の前部にワイヤ５により上下方向に回動可能に装着支持されるとともに、駆動装置７で遮水シートの切断方向に回転する回転刃８と、回転刃８の下側に遮水シートを持ち上げて支持する遮水シート支持板９を備え、遮水シート支持板９は、中央に回転刃８が入り込む長孔が形成され、ワイヤ４は、車体１とカッター装置２に連結されるとともに、回転刃８と遮水シート支持板９が遮水シートの下の地面に接しない高さにカッター装置２を引き上げて回動させるワイヤ４である自走式カッター装置。【選択図】図１
2019051570.tif 000002
【特許請求の範囲】
【請求項１】
除染廃棄物の仮置き場に敷かれた遮水シートを自走しながら切断する自走式カッター装置が、クローラで自走する車体と遮水シートを切断するカッター装置からなり、
前記カッター装置が前記車体の前部に装着されてワイヤにより上下方向に回動可能に支持されるとともに、駆動装置で前記遮水シートの切断方向に回転する回転刃と前記回転刃の下側に前記遮水シートを持ち上げて支持する遮水シート支持板を備え、
前記遮水シート支持板は、中央に前記回転刃が入り込む長孔が形成され、
前記ワイヤは、前記車体と前記カッター装置に連結されるとともに、前記回転刃と前記遮水シート支持板が前記遮水シートの下の地面に接しない高さに前記カッター装置を引き上げて回動させるワイヤであることを特徴とする自走式カッター装置。
【請求項２】
前記ワイヤは、一端が前記車体に立設されたシリンダーのピストンロッドに固定され、他端がカッター装置に固定されていることを特徴とする請求項1に記載の自走式カッター装置。
【発明の詳細な説明】
【技術分野】
【０００１】
本発明は、除染廃棄物の仮置き場に敷かれた遮水シートを自走しながら切断する自走式カッター装置に関する。
【背景技術】
【０００２】
原発事故によって東日本の広範囲が放射性物質によって汚染され、除染により発生した除染土壌等の除染廃棄物が除染廃棄物専用フレコンバッグに充填され、除染廃棄物専用フレコンバッグを一時的に保管するために空き地や耕作地等が仮置き場として使用されている。仮置き場では放射性物質が漏れるのを防止するために遮水シートが敷かれ、その上にフレコンバッグが仮置きされている。
【０００３】
フレコンバッグを仮置き場から中間貯蔵施設へ移送した後は、仮置き場に敷かれていた遮水シートを処分するため、この遮水シートを人力によりカッターで切断して、処分している。遮水シートの切断作業では、作業者に対し労力的に大きな負担となるだけでなく作業時間がかかるために効率的ではないので、コンクリートカッターのように回転刃を備えたカッター装置〈特許文献1参照〉により切断して処分することが考えられる。
【先行技術文献】
【特許文献】
【０００４】
【特許文献１】特開２０１４７０４２７号公報
【発明の概要】
【発明が解決しようとする課題】
【０００５】
しかしながら、コンクリートカッターではカッターを冷却するために冷却水を使用するが、汚染物質の流出を防止しなければならないことから水の使用ができないのでコンクリートカッターは使用できない。現状では、人力に代わる効率的な遮水シートの切断手段が見当たらないことから、遮水シートの切断作業は人力に頼らざるを得ない。
【０００６】
そこで、本発明は、除染廃棄物の仮置き場に敷かれた遮水シートを安全に切断することが可能な自走式カッター装置を提供するものである。
【課題を解決するための手段】
【０００７】
本願の請求項１の発明は、除染廃棄物の仮置き場に敷かれた遮水シートを自走しながら切断する自走式カッター装置が、クローラで自走する車体と遮水シートを切断するカッター装置からなり、前記カッター装置が前記車体の前部に装着されてワイヤにより上下方向に回動可能に支持されるとともに、駆動装置で前記遮水シートの切断方向に回転する回転刃と前記回転刃の下側に前記遮水シートを持ち上げて支持する遮水シート支持板を備え、前記遮水シート支持板は、中央に前記回転刃が入り込む長孔が形成され、前記ワイヤは、前記車体と前記カッター装置に連結されるとともに、前記回転刃と前記遮水シート支持板が前記遮水シートの下の地面に接しない高さに前記カッター装置を引き上げて回動させるワイヤであることを特徴とする自走式カッター装置である。
【０００８】
本願の請求項２の発明は、前記ワイヤは一端が前記車体に立設されたシリンダーのピストンロッドに固定され、他端がカッター装置に固定されていることを特徴とする請求項1に記載の自走式カッター装置である。
【発明の効果】
【０００９】
本発明の自走式カッター装置は、人力によることなく自走して回転刃により遮水シートを切断していくので、人力によるカッターの切断作業に比べて効率的となり、作業時間が大幅に短縮されるとともに、作業者の労力を大幅に軽減された。
【００１０】
また、切断作業の際に汚染物質の流出を防止しなければならないことから水の使用ができないが、本発明の自走式カッター装置は、回転刃の回転による飛散することがないため、コンクリートカッターのような散水の必要もない。
【００１１】
本発明の自走式カッター装置は、回転刃と遮水シート支持板が遮水シートの下の地面に接しない高さにカッター装置を引き上げられるため、回転刃が遮水シートの下の土に接触しないので、土の石等に接触して火花が飛ぶことがないので、火災のおそれもない。
【００１２】
本発明の自走式カッター装置は、仮置き場が設けられている場所が差水シートの下の地面が軟弱で車輪がめり込んで走行できない場所においても、クローラで走行できるので切断作業が可能となる。
【図面の簡単な説明】
【００１３】
【図１】本発明の自走式カッター装置の概略側面図である。
【図２】本発明の自走式カッター装置の概略正面図である。
【図３】本発明の自走式カッター装置の切断作業を示す図である。
【図４】本発明の自走式カッター装置の切断作業を示す図である。
【発明を実施するための形態】
【００１４】
本発明の実施例について図面を参照しながら説明する。
【実施例】
【００１５】
図１〜４において、本発明の自走式カッター装置は、クローラ３で自走して走行する車体１と遮水シートを切断するカッター装置２で構成される。車体１のクローラ３はゴム製のキャタピラなので、車輪がのめり込むような軟弱な地面であってものめり込むことなく走行することが可能である。車体１の上には操作員の座る運転席が設けられている。
【００１６】
カッター装置２は車体１の前部に上下方向に回動可能に装着され、ワイヤ４により所定のレベルに支持されている。ワイヤ４は、一端が車体1上に立設されたシリンダーのピストンロッド５の先端に固定され、他端がカッター装置２の側部６に固定されて、カッター装置２が支持されている。
【００１７】
カッター装置２は、駆動装置７で遮水シートＳの切断方向に回転する回転刃８を備え、回転刃８は危険防止のためにカバーで覆われている。回転刃８の下側には遮水シートＳを下から持ち上げて支持する遮水シート支持板９が配置されている。遮水シート支持板９の先端は、回転刃８より前方に延びており、遮水シートＳを、回転刃８で切断する前に持ち上げて支持するようになっている。
【００１８】
遮水シート支持板９の中央部には、回転刃８が入る長孔１０が形成されている。長孔１０に回転刃８が入ることにより、回転刃８は遮水シート支持板９に支持された遮水シートＳの下側に抜けて遮水シートを確実に切断することができる。
【００１９】
次に、本発明の自走式カッター装置による切断作業について説明する。
【００２０】
自走式カッター装置を遮水シート支持板９の先端が遮水シートＳの端の手前の位置で停車させた後、作業員が遮水シートＳの端を遮水シート支持板９が入り込む空間ができる高さまで持ち上げ、自走式カッター装置を前進させて遮水シート支持板９を遮水シートＳの端に形成されている空間内に入れて停止させる。
【００２１】
次いで、シリンダーのピストンロッド５を上昇させることによりワイヤ４を引いてカッター装置２を上方向に回動させて、回転刃８と遮水シート支持板９が遮水シートＳの下の地面に接しない高さにセットする。
【００２２】
セットが終了すると、回転刃８を回転させ、自走式カッター装置を自走させて前進させると、遮水シート支持板９が遮水シートＳを持ち上げて支持するとともに、遮水シートは回転刃８により切断されていく。
【００２３】
こうして、回転刃８が地面に接することなくかつ冷却水を使用することなく、遮水シートＳを縦方向に切断していく。こうして間隔をおいて帯状に切断し、さらに必要に応じて、横方向に切断した後、切断した遮水シートＳを剥がし、処分していく。
【符号の説明】
【００２４】
１：車体
２：カッター装置
４：クローラ
４：ワイヤ
５：シリンダーのピストンロッド
６：カッター装置の側部
７：駆動装置
８：回転刃
９：遮水シート支持板
１０：長孔
【図１】
2019051570.tif 000003
【図２】
2019051570.tif 000004
【図３】
2019051570.tif 000005
【図４】
2019051570.tif 000006